(57)【特許請求の範囲】
【請求項１】
プラグインコネクタであって、
前記プラグインコネクタの縦方向（１４ａ，１４ｂ）に延びる少なくとも１つのコンタクト要素（１２ａ，１２ｂ）を備え、当該コンタクト要素は、プリント回路基板（３８ａ，３８ｂ）上で前記プラグインコネクタ（１０ａ，１０ｂ）が嵌合した状態で、プリント回路基板（３８ａ，３８ｂ）の平面（４０ａ，４０ｂ）に略平行に延びており、
前記コンタクト要素（１２ａ，１２ｂ）のコンタクトスロット／コンタクトピン（２８ａ，２８ｂ）が、プラグインコネクタの略縦方向（１４ａ，１４ｂ）に所定の横方向エクステンション（３２ａ，３２ｂ）を有し、
前記コンタクトスロット／コンタクトピン（２８ａ，２８ｂ）のプラグイン方向が、前記プリント回路基板（３８ａ，３８ｂ）に対して略垂直に方向付けられており、
プラグインコネクタ（１０ａ）のコンタクト要素（１２ａ）がコネクタハウジング（１６）内に設けられ、
当該コネクタハウジングは、ハウジング後部（１８）及びハウジング前部（２０）を備え、前記ハウジング後部及び前記ハウジング前部は、スプリング作用に反してプラグインコネクタの横方向（２４ａ）で互いに変位可能である、
プラグインコネクタ。
【請求項２】
前記コネクタハウジング（１６）は一体形状であり、かつ、前記スプリングの張力が、薄型横断部（２２）の一部に応じて変動し、
前記薄型横断部はプラグインコネクタのハウジング材料を有し、前記ハウジング後部（１８）及び前記ハウジング前部（２０）間に設けられる、
請求項１記載のプラグインコネクタ。
【請求項３】
前記コネクタハウジング（１６）は、プラグインコネクタの横方向（２４ａ）に沿って相対する両側にクリップ受入手段（４２，４２’）を備え、
当該クリップ受入手段は、相手方プラグインコネクタ（１０ｂ）のクリップ（６２，６２’）を受け入れて案内する、
請求項１記載のプラグインコネクタ。
【請求項４】
前記クリップ受入手段（４２，４２’）の少なくとも１つは、プラグインコネクタ（１０ａ）のプラグイン方向（３４ａ）にテーパーが形成されたガイド面（４４ａ，４６ａ）を有する、
請求項３記載のプラグインコネクタ。
【請求項５】
前記相手方プラグインコネクタ（１０ｂ）のコネクタハウジング（６０）には、プラグインコネクタの横方向に沿って相対する両側に、前記クリップ受入手段（４２，４２’）に対応する前記クリップ（６２，６２’）が設けられ、それにより、前記コネクタハウジング（６０）の略Ｃ字形状の構造によってプラグインコネクタ（１０ａ）を収容する、
請求項３記載のプラグインコネクタ。
【請求項６】
少なくとも１つの前記クリップ（６２，６２’）は、プラグイン方向（３４ｂ）でその前端に、テーパー形状のガイド面（４４ｂ，４６ｂ）が設けられる、
請求項５記載のプラグインコネクタ。
【請求項７】
前記相手方プラグインコネクタ（１０ｂ）の前記クリップ受入手段（４２，４２’）と前記クリップ（６２，６２’）は、縦方向の遊び（７０）によりプラグインコネクタの縦方向（１４ａ，１４ｂ）でプラグインコネクタ同士（１０ａ，１０ｂ）が互いに変位可能となるように、互いに適合させられている、
請求項３または５記載のプラグインコネクタ。
【請求項８】
プラグインコネクタ（１０ａ）の前記コンタクト要素（１２ａ）が補償要素（２６）を備える、
請求項１記載のプラグインコネクタ。
【請求項９】
前記補償要素（２６）は、プラグインコネクタの縦方向（１４ａ）に沿って略Ｓ字形状に曲げられている、
請求項８記載のプラグインコネクタ。
【請求項１０】
プラグインコネクタ同士（１０ａ，１０ｂ）が組み付けられた状態において前記プリント回路基板（３８ａ，３８ｂ）の凹部に配置される少なくとも１つの配置要素（５２，５４，６６，６８）が設けられる、
請求項１記載のプラグインコネクタ。
【請求項１１】
前記コンタクト要素（１２ａ，１２ｂ）は、プラグインコネクタ（１０ａ，１０ｂ）の平面（４０ａ，４０ｂ）に略平行に向きが付けられた端面（５０，６４）を備える、
請求項１記載のプラグインコネクタ。
【請求項１２】
分離要素（４８）が、隣接する前記コンタクトスロット／コンタクトピン（２８ａ，２８ｂ）の間に配置される、
請求項１記載のプラグインコネクタ。
【請求項１３】
前記コンタクト要素（１２ａ，１２ｂ）は、コンタクトピン（２８ｂ）を受け入れるために互いに適合する２つのスプリング脚部（３０，３０’）を備える、
請求項１記載のプラグインコネクタ。
【発明の詳細な説明】
【技術分野】
【０００１】
本発明は、プラグインコネクタ（差込型コネクタ）に関する。
【背景技術】
【０００２】
ラップトップＰＣのような携帯用電子機器の開発の進展は、プラグインコネクタの極小化に対する要求を増加させる。このようなプラグインコネクタは、プリント回路基板同士を接続する目的で設けられ、かかるプリント回路基板は、高パッケージ密度を備えることが頻繁に要求される中位のアプリケーションとして知られるものにおいて、あるプリント回路基板が少なくとも部分的に他のプリント回路基板の上部に、かつ他のプリント回路基板と略平行になるように配置される。プラグインコネクタに対しては、電流容量及び温度安定性に関して未だに高い要求が課せられている。特に高安定性については、携帯用ユニットが例えば落下させられることによって高加速度に晒される状況下においてさえ保証されるべきであるという必要性が存する。
【０００３】
特許文献１には、高コンタクト密度及び高コンタクト数を備えた、小寸法のアプリケーションに使用されるプラグインコネクタが記載されている。この公知のプラグインコネクタは、少なくとも１つの側面の絶縁支持手段と、中央の絶縁支持手段と、伝導手段とを備える。伝導手段は、中央の絶縁支持手段上に固定される第１長方形セクションを含む。さらに伝導手段は、第１長方形セクション及び第２長方形セクションの間に配置される、露出した第３長方形セクションを含み、それによって使用時には、その露出した第３長方形セクションと中央の絶縁支持手段が共に、対応するブッシングを備えた伝導手段の間に延びるようになっている。
【０００４】
特許文献２には、ハウジングと、第１及び第２コネクタ要素と、少なくとも１つの補強用ブレースと、少なくとも１つのフレキシブル回路とを備えたプラグインコネクタが記載されている。第１コネクタ要素は、ハウジングの第１開口に設けられ、第２コネクタ要素はハウジングの第２開口に設けられうる。補強用ブレースは、ハウジング内で直立に配置されうる。第１コネクタ要素はフレキシブル回路の第１端を収容しうる一方、フレキシブル回路の第２端は補強用ブレースと第２コネクタ要素との間にはめ込まれる。
【０００５】
カタログ番号Ｄ０７４５７０，０２／０７エディション１において出願人により発行されたカタログは、ピンヘッダの広範囲のポートフォリオを提供しており、そのいくつかは、特に中位のアプリケーションに対して、スタンプによって両側に形成されるプレスフィット領域によって特徴付けられている。このプラグインコネクタは、取り外し不可能で、強固で、振動や汚染物に強い。極端な稼動条件でのアプリケーションに対して、プレスフィット領域を含むコネクタが使用されうる。あるプリント回路基板を他のプリント回路基板の上に配置する場合にその２つのプリント回路基板の間の異なる空間は、異なるピン長によって吸収されうる。２つのプリント回路基板間に大きな空間が存在する場合には、追加の絶縁体によってピンヘッダが安定化する。
【０００６】
公知のプラグインコネクタにおいては、プラグイン動作が常に、プラグインコネクタのコンタクト要素の縦方向で生ずる点で共通している。例えば９０度等の所定の角度による曲げが生ずる場合において、曲げがコンタクト要素の例えば接続領域、固定領域またはコンタクト発生領域において、プラグインコネクタの複数のコンタクト要素をそれぞれ曲げることによって実現されることが予想される。
【特許文献１】ドイツ特許６９７  ０８  ５２６  Ｔ２
【特許文献２】ドイツ特許１０  ２００５  ０２８  ５１２  Ａ１
【発明の開示】
【発明が解決しようとする課題】
【０００７】
本発明の目的は、上述した従来のプラグインコネクタにおいて、その物理的な高さを低下させることにある。
【課題を解決するための手段】
【０００８】
本発明に係るプラグインコネクタは、プラグインコネクタの縦方向に延びる少なくとも１つのコンタクト要素を備え、このコンタクト要素は、プリント回路基板上でプラグインコネクタが嵌合した状態で、プリント回路基板の平面に略平行に延びている。本発明に係るプラグインコネクタを特徴付けるのは、コンタクト要素のコンタクトスロット又はコンタクトピンが、プラグインコネクタの略縦方向に所定の横方向エクステンションを有し、コンタクトスロット又はコンタクトピンのプラグイン方向が、プリント回路基板に対して略垂直に方向付けられている点である。
【０００９】
好ましくは、本発明に係るプラグインコネクタは、コンタクトスロット、コンタクトピンまたは混成のコンタクト要素のいずれかを含む複数のコンタクト要素を備える。本発明に係るプラグインコネクタと適合するプラグインコネクタは、そのコンタクト要素が、コンタクトスロットの代わりにコンタクトピンを、コンタクトピンの代わりにコンタクトスロットを備えている点を除けば、本発明に係るプラグインコネクタと同一である
【００１０】
プラグインコネクタの横方向に対して略垂直に向けられるプラグイン方向を備えるようにした、コンタクトスロット又はコンタクトピンの特別な配置のために、本発明に係るプラグインコネクタおよび相手方プラグインコネクタは側面から差し込まれる。
【００１１】
本発明に係るプラグインコネクタは、プラグイン方向において特に物理的な高さを低くすることを可能にし、組み付けられた状態で少なくとも部分的に互いに上下に配置される２つのプリント回路基板間のプラグイン接続を実現するのに特に適している。そのため、本発明に係るプラグインコネクタは、中位のアプリケーションに特に適している。本発明に係るプラグインコネクタは比較的物理的な高さが低いため、２つのプリント回路基板間の空間を少なくすることができ、それにより、電子ユニット間の物理的な高さを低くすることを可能にする。
【００１２】
本発明に係るプラグインコネクタは物理的な高さを低くすることを可能にするだけでなく、コンタクトスロット又はコンタクトピンの自由に選択可能な横方向エクステンションによって信頼性の高いコンタクト形成を確実にし、さらには、高電流負荷と高温度負荷の耐性が備わっている。
【００１３】
本発明に係るプラグインコネクタの構成の結果として、プラグインコネクタの縦方向、プラグインコネクタの横方向、プラグインコネクタの縦方向と横方向の双方と略垂直なプラグイン方向の機械的誤差を打ち消すことが可能になる。
【００１４】
本発明に係るプラグインコネクタは複数のコンタクト要素を設けてもよく、その数は、コネクタの横方向において、本発明に係るプラグインコネクタの所定の最大幅によってのみ限定される。
【００１５】
本発明に係るプラグインコネクタの機械的及び電気的長所は、公知技術のプラグインコネクタと比較して追加の材料なしに実現される。これにより、本発明に係るプラグインコネクタの特に量産時におけるコスト上の利点が得られる。
【００１６】
本発明に係るプラグインコネクタの効果的な実施形態及びさらなる展開は、従属請求項で明らかとなる。
【００１７】
一実施形態によれば、コンタクト要素がコネクタハウジング内に設けられ、このコネクタハウジングは、ハウジング後部及びハウジング前部を備え、当該ハウジング後部及びハウジング前部は、スプリング作用に反してプラグインコネクタの横方向で互いに変位可能である。この特徴は、プラグインコネクタの横方向で大きい誤差が打ち消されることを可能にする。スプリングの張力は、コネクタハウジングを一体形状にし、かつ、ハウジング材料の薄型横断部の一部を介してハウジング後部及びハウジング前部を互いに接続することによって変動し得る。
【００１８】
他の実施形態によれば、コネクタハウジングは、プラグインコネクタの横方向に沿って相対する両側にクリップ受入手段を備え、このクリップ受入手段は、相手方プラグインコネクタに設けられるクリップを受け入れて案内する。これにより、プラグイン操作中における相手方プラグインコネクタへの信頼性の高い案内を可能にするとともに、嵌合状態における相手方プラグインコネクタの信頼性の高い固定が可能になる。
【００１９】
この実施形態のさらなる展開では、少なくとも１つのクリップ受入手段が、プラグイン方向にテーパーが形成されたガイド面を備え、このガイド面が嵌合操作中に相手方プラグインコネクタのクリップに対して案内効果を補助する。さらに、このガイド手段は、相手方プラグインコネクタが嵌合状態で最終的な位置まで確実にスライドするという効果を与える。
【００２０】
それに対応して、効果的な一実施形態では、クリップ受入手段に適合するクリップが、プラグインコネクタの横方向に沿って、コネクタハウジングの相対する両側に設けられる。この配置では、２つのプラグインコネクタの嵌合状態において、プラグインコネクタの略Ｃ字形状のコネクタハウジングが、その略Ｃ字形状の構造内に相手方プラグインコネクタのコネクタハウジングを収容する。
【００２１】
この実施形態のさらなる展開では、少なくとも１つのクリップは、プラグイン方向でその前端に、テーパー形状のガイド面が設けられ、同様に、このガイド面が嵌合操作中にクリップに対して案内効果を補助することに加えて、プラグインコネクタが嵌合状態で最終的な位置まで確実にスライドすることを可能にする。
【００２２】
一実施形態では、クリップ受入手段のガイド面、若しくはコネクタハウジング全体、及び相手方プラグインコネクタのクリップのガイド面が互いに適合させられており、それによって、プラグインコネクタの嵌合状態で、縦方向の所定の遊びによりプラグインコネクタの縦方向でプラグインコネクタ同士が互いに変位可能となる。この特徴は、誤差の機械的な補償を可能にする。
【００２３】
一実施形態によれば、コンタクト要素が補償要素を備える。この補償要素は、ハウジング後部及びハウジング前部の間のプラグインコネクタのコンタクト要素内に設けられる。一実施形態によれば、ハウジング後部及びハウジング前部は互いに移動可能であり、プラグインコネクタの横方向における、せん断方向の移動（shearing movement）を可能にする。補償要素は例えばＳ字形状となるように曲げられてもよく、スプリングの張力に寄与するとともに、プラグインコネクタの横方向における誤差の補償を補助する。
【００２４】
他の実施形態によれば、プラグインコネクタの組付時にプリント回路基板の凹部に進入する少なくとも１つの配置要素がコネクタハウジング上に設けられる。配置要素は、本発明に係るプラグインコネクタをプリント回路基板上に搭載する操作を補助する。特に、配置要素として、コーディングに類似した多くの異なる実施形態が考えられ、それによって、正しい向き以外の向きでプラグインコネクタがプリント回路基板上に搭載し得ないようになっている。
【００２５】
効果的な実施形態では、コンタクト要素は、ＳＭＤ（Surface Mounting Device）の半田付け端として知られる平坦な端面を備える。本発明に係るプラグインコネクタをＳＭＤ技術によって半田付けで接続することは、プラグインコネクタを半田付けするための合理的で低コストの方法であるばかりでなく、プリント回路基板の接続の高周波特性を良好にすることを可能にする。
【００２６】
本発明に係るプラグインコネクタのさらなる展開では、隣接するコンタクト要素の間に分離要素が配置される。分離要素は、隣接するコンタクト要素間の電気的絶縁を提供するとともに、コンタクト形成の間、相手方プラグインコネクタのコンタクト要素を案内する手段を提供する。
【００２７】
一実施形態によれば、コンタクト要素のコンタクト用スプリングは、コンタクトピンを受け入れるために２つの対応するスプリング脚部を備える。スプリング脚部を備えたコンタクト用スプリングを実装することで、プラグインコネクタに対して可能な限り低い接触抵抗が実現される。
【００２８】
本発明に係るプラグインコネクタさらなる効果的な展開及び実施形態は、特許請求の範囲の記載から明らかとなる。
【発明を実施するための最良の形態】
【００２９】
図１は、本発明の一実施形態に係るプラグインコネクタ１０ａの上部の斜視図である。プラグインコネクタ１０ａは、少なくとも１つのコンタクト要素１２ａを備え、このコンタクト要素１２ａはプラグインコネクタの縦方向１４ａに延びている。
【００３０】
プラグインコネクタ１０ａは、ハウジング後部１８及びハウジング前部２０を有するプラグインコネクタハウジング１６を備える。ハウジング後部１８及びハウジング前部２０は、プラグインコネクタハウジング１６と同材料の薄型横断部２２を介して互いに接続され、その薄型横断部２２はハウジング後部１８及びハウジング前部２０の間に張力を生成し得る第１部位を備え、それによって２つのハウジング部１８，２０がプラグインコネクタの横方向２４ａに互いにある程度可動となっており、プラグインコネクタの横方向２４ａにおいて、せん断方向の移動（shearing movement）を可能とする。
【００３１】
コンタクト要素１２ａは、ハウジング後部１８及びハウジング前部２０の双方の上に固定される。コンタクト要素１２ａのターミナル領域（図１には図示せず）はハウジング後部１８上に形成される。コンタクト要素１２ａの搭載領域はハウジング前部２０に配置される。コンタクト要素１２ａは補償要素２６を備え、この補償要素２６はハウジング後部１８及びハウジング前部２０の間に設けられるとともに、コンタクト要素１２ａの略Ｓ字形状の曲げによって形成され、プラグインコネクタの縦方向１４ａに合わせられている。補償要素２６は、ハウジング後部１８及びハウジング前部２０の、せん断方向の移動を補助する。補償要素２６と、ハウジング後部１８及びハウジング前部２０間の薄型横断部２２とは共に、所定の方法で予め決定可能な、せん断方向の移動によって生成される引張弾力を規定する。
【００３２】
ハウジング前部２０がプラグインコネクタ１０ａのハウジング後部１８に対して、せん断方向の移動を実行可能にすることで、相手方プラグインコネクタ（図１には図示せず）との接続しようとするときにおいて、またさらには相手方プラグインコネクタと組み付けられた状態においても、誤差が許容される。
【００３３】
図１に図示される実施形態では、コンタクト要素１２ａはその前端に、プラグインコネクタの縦方向１４ａに沿ってコンタクトスロット２８ａを備える。コンタクトスロット２８ａは単一のスプリング脚部３０を備えてもよく、また、プラグインコネクタの縦方向１４ａに沿って所定の横方向エクステンション３２ａを有している。コンタクトスロット２８ａの横方向エクステンション３２ａはプラグインコネクタの縦方向１４ａに沿って延びている。ここで見られる本質的な構成は、公知のプラグインコネクタの配置とは異なり、コンタクトスロット２８ａがプラグインコネクタの縦方向１４ａに沿って接触させられる（コンタクトが行われる）のではなく、対応するコンタクトピン（図示せず）によってプラグインコネクタの縦方向１４ａに対して垂直方向に接触させられる（コンタクトが行われる）、という点である。そのため、コンタクトピンは、コンタクトスロット２８ａとは側部から係合し、プラグインコネクタの縦方向１４ａに合わせられている。横方向エクステンション３２ａは、プラグインコネクタの縦方向１４ａに沿った向きに設けられ、それによって、プラグインコネクタ１０ａの縦方向１４ａに対して横切る方向に延びている。
【００３４】
コンタクトスロット２８ａはさらに、プラグイン方向３４ａに、かつプラグインコネクタの縦方向１４ａと垂直方向に、縦方向エクステンション３６ａを備える。この縦方向エクステンション３６ａは、プラグイン方向３４ａにおけるコンタクトスロット２８ａの接触（コンタクト）可能領域を規定する。横方向エクステンション３２ａに関連して、縦方向エクステンション３６ａの量はプラグイン方向２４ａに対して横方向に変化させ得る。具体的には、プラグインコネクタ１０ａの前端に向かって、プラグインコネクタの縦方向１４ａに沿って、縦方向エクステンション３６ａに対してテーパー断面が設けられ得る。
【００３５】
組み付けられた状態において、本発明に係るプラグインコネクタ１０ａは、第１プリント回路基板３８ａに配置され、プラグインコネクタの縦方向１４ａが少なくとも第１プリント回路基板３８ａの平面４０ａと略平行に向けられる状態となる。本発明に係るプラグインコネクタ１０ａ固有の配置、すなわち、プラグイン方向３４ａがプラグインコネクタの縦方向１４ａに略垂直に延びているか、又は第１プリント回路基板３８ａの平面４０ａに略垂直に延びているという配置のために、本発明に係るプラグインコネクタ１０ａは、プリント回路基板３８ａ，３８ｂ間の接続を確立するのに特によく適している。特に、本発明に係るプラグインコネクタ１０ａは、それぞれの平面４０ａ，４０ｂが互いに平行に延びているプリント回路基板３８ａ，３８ｂ間の接続を確立するのによく適している。プリント回路基板３８ａ，３８ｂはこの場合、部分的にのみ、又は完全にオーバーラップしていてもよい。それゆえ、本発明に係るプラグインコネクタ１０ａは、いわゆる中位のアプリケーションにおいて特に利点をもって使用可能である。
【００３６】
本発明に係るプラグインコネクタ１０ａの物理的な高さは、比較的低くすることが可能である。プラグインコネクタ１０ａの物理的な高さは、プラグイン方向３４ａに沿って第１プリント回路基板３８ａの平面４０ａに略垂直に延びているが、この高さは、コンタクトスロット２８ａの少なくとも１つのスプリング脚部３０の縦方向エクステンション３６ａを予め規定することによって決定可能である。縦方向エクステンション３６ａは、プラグイン方向３４ａにおける２つのプラグインコネクタ間の誤差を許容するが、これは対応するコンタクトピンがプラグイン方向３４ａに沿ってコンタクトスロット２８ａ内に程度の差こそあれ進入するためである。
【００３７】
コンタクトスロット２８ａの少なくとも１つのスプリング脚部３０の横方向エクステンション３２ａによって、本発明に係るプラグインコネクタ１０ａは、プラグインコネクタ１０ａとその相手方プラグインコネクタ（図１に図示せず）との間の誤差が、プラグインコネクタの縦方向１４ａにおいて補償されることが可能になる。
【００３８】
結局のところ、本発明に係るプラグインコネクタ１０ａは、相手方プラグインコネクタに対する誤差が空間上すべての方向、すなわち、プラグインコネクタの縦方向１４ａ、プラグインコネクタの横方向２４ａおよびプラグイン方向３４ａにおいて補償されることを可能にする。
【００３９】
プラグインコネクタ１０ａのハウジング前部２０はクリップ受入手段４２，４２’を備えており、これらの手段は、相手方プラグインコネクタ（図１に図示せず）の少なくとも１つのクリップを受け入れる目的で設けられる。クリップ受入手段４２，４２’にクリップを押し込む操作を補助する目的で、ハウジング前部２０の外側端に第１ガイド面４４ａと第２ガイド面４６ａが設けられる。第１ガイド面４４ａは主としてプラグインコネクタの縦方向１４ａに延び、第２ガイド面４６ａはプラグインコネクタの横方向２４ａに延びている。
【００４０】
プラグインコネクタ１０ａのコンタクト要素１２ａの数は、広範囲に変化させうる。プラグインコネクタの横方向２４ａに沿って配置されるコンタクト要素１２ａの数は、プラグインコネクタ１０ａの幅を決定する。個々のコンタクト要素１２ａを他のコンタクト要素から電気的に絶縁させるために、少なくともコンタクトスロット２８ａの領域内に分離要素４８を設けることが好ましい。詳細は図示しないが、相手方プラグインコネクタ（図１に図示せず）のコンタクトピンに対するガイド機能を改善する目的で、分離要素４８の上部にはテーパー部を設けてもよい。
【００４１】
図２は、本発明に係るプラグインコネクタ１０ａの底部の斜視図である。なお、図２に示している部位において、図１で示したものと同一の部位については同一の参照番号を付しているが、図２以降のすべての図面についても同様である。
【００４２】
図２は、コンタクト要素１２ａの底部の図を表している。端面５０は、第１プリント回路基板３８ａの平面４０ａと略平行に向けられている。具体的には、端面５０はＳＭＤ（Surface Mounting Devices；表面実装型の電子部品）の端面として実装される。図２から明らかなことは、コンタクトスロット２８ａの縦方向エクステンション３６ａが、プラグインコネクタの縦方向１４ａに関連して、プラグイン方向３４ａで変化しうる点である。図示された実施形態においては、プラグインコネクタ１０ａの前端に向かって縦方向エクステンション３６ａの延長量が低下していくことが理解される。
【００４３】
図２はさらに、２つの配置要素５２，５４の図を示している。２つの配置要素５２，５４は、例えば環状断面を備えたピンとして構成され、そのピン５２，５４はそれぞれ異なる寸法であってもよい。配置要素５２，５４は双方とも、プラグインコネクタ１０ａのハウジング後部１８上に形成されており、少なくとも１つの端面５０が第１プリント回路基板３８ａの導体構造に半田付けされる前にプラグインコネクタ１０ａを第１プリント回路基板３８ａ上に固定するために設けられている。これらのピンに異なる寸法を与えることで一種のコーディング機能を提供し、これにより、プラグインコネクタ１０ａが第１プリント回路基板３８ａ上に搭載されたときに、プラグインコネクタ１０ａの正確な配置が保証される。
【００４４】
図２はコンタクトスロット２８ａの一実施形態を示し、このスロット２８ａは、第１スプリング脚部３０に加えて第２スプリング脚部３０’を備える。
【００４５】
図３は、プラグインコネクタ１０ａと適合する相手方プラグインコネクタ１０ｂの上部の斜視図である。相手方プラグインコネクタ１０ｂは、第１プリント回路基板３８ａと第２プリント回路基板３８ｂの接続を確立するように作用し、この場合、２つのプラグインコネクタ１０ａ，１０ｂの嵌合状態では、第１プリント回路基板３８ａとはわずかな空間だけ離れて配置されるだけでよく、さらに、第１プリント回路基板３８ａとは略平行に配置される。
【００４６】
相手方プラグインコネクタ１０ｂの縦方向１４ｂも同様に、第２プリント回路基板３８ｂの平面４０ｂと略平行に延びている。相手方プラグインコネクタ１０ｂのプラグイン方向３４ｂも、第２プリント回路基板３８ｂの平面４０ｂと略垂直に延びている。
【００４７】
相手方プラグインコネクタ１０ｂは、プラグインコネクタ１０ａの少なくとも１つのコンタクト要素１２ａと適合する相手方コンタクト要素１２ｂを備える。図示された実施形態では、相手方プラグインコネクタ１０ｂのコンタクト要素１２ｂは、プラグインコネクタ１０ａのコンタクトスロット２８ａと適合するコンタクトピン２８ｂとして構成されている。コンタクトピン２８ｂは同様に、相手方プラグインコネクタ１０ｂのプラグイン方向３４ｂに沿った所定の横方向エクステンション３２ｂを有する。コンタクトピン２８ｂの横方向エクステンション３２ｂ及び縦方向エクステンション３６ｂは、プラグインコネクタ１０ａのコンタクトスロット２８ａの横方向エクステンション３２ａ及び縦方向エクステンション３６ａと協働して、２つのプラグインコネクタ１０ａ，１０ｂ間の誤差が、２つのプラグインコネクタの縦方向１４ａ，１４ｂ及びプラグイン方向３４ａ，３４ｂの双方で、嵌合状態において補償されることを可能にする。
【００４８】
相手方プラグインコネクタ１０ｂのプラグインコネクタハウジング６０は、略Ｃ字形状の構成を備えている。相手方プラグインコネクタ１０ｂの前端にはクリップ６２，６２’が設けられ、これらのクリップは、プラグインコネクタ１０ａ，１０ｂの嵌合状態において、搭載操作中にプラグインコネクタ１０ａのクリップ受入手段４２，４２’と嵌合する目的と、プラグインコネクタの縦方向１４ａ，１４ｂで２つのプラグインコネクタ１０ａ，１０ｂを互いにロックする目的で設けられる。好ましくは、クリップ６２，６２’には、プラグインコネクタ１０ａのガイド面４４ａ，４６ａに対応する少なくとも１つのガイド面４４ｂ，４６ｂが、その前端に設けられる。
【００４９】
相手方プラグインコネクタ１０ｂのコンタクト要素１２ｂの数は、プラグインコネクタ１０ａのコンタクト要素１２ａの数と同一である。コンタクト要素１２ｂの数は、相手方プラグインコネクタ１０ｂの横方向２４ｂに沿った、同プラグインコネクタの幅を決定する。
【００５０】
詳細は図示しないが、好ましくは、プラグイン作業中にコンタクトピン２８ｂのコンタクトスロット２８ａに対する導入を補助する目的で、相手方プラグインコネクタ１０ｂのコンタクトピン２８ｂ上にテーパー部が設けられる。
【００５１】
図４は、相手方プラグインコネクタ１０ｂの底部の斜視図である。図４は、相手方プラグインコネクタ１０ｂのコンタクト要素１２ｂの端面６４を示しており、この端面６４は、好ましくは、相手方プラグインコネクタ１０ｂが組み付けられた状態において、第２プリント回路基板３８ｂの平面４０ｂと略平行に向けられる。好ましくは、端面６４はＳＭＤ端面６４として実装される。
【００５２】
図４はさらに、相手方プラグインコネクタ１０ｂの第１及び第２配置要素６６，６８を示している。好ましくは、この２つの配置要素６６，６８は環状断面を有し、それぞれ異なる寸法である。相手方プラグインコネクタ１０ｂが搭載されるときに、配置要素６６，６８は、第２プリント回路基板３８ｂにおいて対応する凹部と係合するようになり、それによって、第２プリント回路基板３８ｂの導体構造に半田付けされる前に相手方プラグインコネクタ１０ｂを第２プリント回路基板３８ｂ上に固定する。
【００５３】
図５は、嵌合状態における、本発明に係るプラグインコネクタ１０ａの上部と、本発明に係る相手方プラグインコネクタ１０ｂの底部との斜視図である。図５内の符号７０は縦方向の遊びを示し、この遊びによって、相手方プラグインコネクタ１０ｂが、プラグインコネクタの縦方向１４ａ，１４ｂにおけるプラグインコネクタ１０ａに対する誤差を打ち消すことが可能となる。これが実現されるのは、詳しく図示しないが、プラグインコネクタ１０ａのクリップ受入手段４２，４２’のコンタクト面と、相手方プラグインコネクタ１０ｂのクリップ６２，６２’のコンタクト面とが、プラグインコネクタ１０ａ，１０ｂの嵌合状態において所定の遊び７０が縦方向に確実に設けられるような方法で、互いに適合させられることによる。
【００５４】
図６は、プラグインコネクタの縦方向１４ａ，１４ｂに延びるラインＡ’−Ａ”で切断した、図５の配置の断面斜視図である。この断面図は、プラグインコネクタ１０ａのハウジング１６と相手方プラグインコネクタ１０ｂのハウジング６０を通した断面のみを示している。この断面による図示は、切断されていない状態のコンタクト要素１２ａ，１２ｂの図も示している。
【００５５】
図６は、プラグイン接続の嵌合状態におけるコンタクトスロット２８ａ内のコンタクトピン２８ｂの配置を示している。図６から明らかに説明されることは、プラグインコネクタ１０ａ，１０ｂ間の誤差を補償することが可能になるという点である。ここで、補償される誤差は、コンタクトスロット２８ａの横方向エクステンション３２ａの効果により、プラグインコネクタの縦方向１４ａ，１４ｂの誤差であり、さらに、コンタクトスロット２８ａの縦方向エクステンション３６ａ（図示せず）とコンタクトピン２８ｂの縦方向エクステンション３６ｂ（図示せず）の効果により、コンタクトピン２８ｂ（図示せず）の横方向の誤差であり、プラグイン方向３４ａ，３４ｂの誤差である。
【００５６】
プラグインコネクタの縦方向１４ａ，１４ｂの誤差の補償は、縦方向に予め決定可能な遊び７０によって可能となる。プラグイン方向３４ａ，３４ｂの誤差の補償は、程度の差こそあれ、コンタクトピン２８ｂがプラグイン方向３４ａ，３４ｂに沿ってコンタクトスロット２８ａに進入するという点によって可能となる。２つのプリント回路基板３８ａ，３８ｂ間の誤差の補償は、ハウジング後部１８及びハウジング前部２０の間で、すなわち、嵌合状態におけるプラグインコネクタ１０ａ，１０ｂ間で許容される、せん断方向の移動によって確実になる。
【００５７】
図７は、ラインＢ’−Ｂ”で切断した、図５の配置の断面斜視図である。図７は、コンタクト要素１２ａが、プラグインコネクタ１０ａのハウジング後部１８及びハウジング前部２０内で固定され、固定点間には補償要素２６が配置された状態での態様を示している。さらに図７は、コンタクトスロット２８ａ及び／又はコンタクトピン２８ｂの好ましい実施形態を示している。コンタクトスロット２８ａの少なくとも１つのスプリング脚部３０，３０’はプラグインコネクタ１０ａの前端に向けて、プラグインコネクタの縦方向１４ａ，１４ｂ及びプラグインコネクタの横方向２４ａ，２４ｂに曲げられるが、これにより、横方向２４ａ，２４ｂにおけるコンタクトスロット２８ａとのオーバーラップ度合いに応じて、特定の位置次第で定まる接触圧力がコンタクトピン２８ｂに作用する。これに対応して、コンタクトピン２８ｂは、そのプラグインコネクタの横方向２４ａ，２４ｂにおけるエクステンション（拡張部分）が、相手方プラグインコネクタ１０ｂの縦方向１４ｂに関連して変化し、その結果、図示された実施形態のようになる。
【００５８】
図８は、プラグインコネクタの横方向２４ａ，２４ｂに延びるラインＣ’−Ｃ”で追加的に切断した、図７の配置の斜視図である。この図が示すのは、コネクタハウジング１６，６０の図だけではなく、プラグインコネクタ１０ａのコンタクト要素１２ａ、相手方プラグインコネクタ１０ｂのコンタクト要素１２ｂの図も含まれる。図８は、コンタクトピン２８ｂのスプリング脚部３０に対する配置を追加的に図示する。
【００５９】
図９は、嵌合状態における、本発明に係るプラグインコネクタ１０ａの底部と、本発明に係る相手方プラグインコネクタ１０ｂの上部との斜視図である。図１０は、プラグインコネクタの縦方向１４ａ，１４ｂのラインＤ’−Ｄ”で切断した、図９の配置の断面斜視図である。なお、図ではコンタクト要素１２ａ，１２ｂは切断されていない。図９及び図１０はさらに、嵌合状態における、プラグインコネクタ１０ａ，１０ｂとこれらの構成部品の構成と配置を示している。
【図面の簡単な説明】
【００６０】
【図１】本発明に係るプラグインコネクタの上部の斜視図である。
【図２】本発明に係るプラグインコネクタの底部の斜視図である。
【図３】本発明に係る相手方プラグインコネクタの上部の斜視図である。
【図４】本発明に係る相手方プラグインコネクタの底部の斜視図である。
【図５】嵌合状態における、本発明に係るプラグインコネクタの上部と、本発明に係る相手方プラグインコネクタの底部との斜視図である。
【図６】プラグインコネクタの縦方向のラインで切断した、図５の配置の断面斜視図である。
【図７】プラグインコネクタの横方向のラインで切断した、図５の配置の断面斜視図である。
【図８】プラグインコネクタの横方向のラインで追加的に切断した、図７の配置の斜視図である。
【図９】嵌合状態における、本発明に係るプラグインコネクタの底部と、本発明に係る相手方プラグインコネクタの上部との斜視図である。
【図１０】プラグインコネクタの縦方向のラインで切断した、図９の配置の断面斜視図である。
【符号の説明】
【００６１】
１０ａ，１０ｂ…プラグインコネクタ
１４ａ，１４ｂ…プラグインコネクタの縦方向
１２ａ，１２ｂ…コンタクト要素
３８ａ，３８ｂ…プリント回路基板
４０ａ．４０ｂ…プリント回路基板の平面
２８ａ…コンタクトスロット
２８ｂ…コンタクトピン
３２ａ，２３ｂ…横方向エクステンション
【図１】
0005069181.tif 000002
【図２】
0005069181.tif 000003
【図３】
0005069181.tif 000004
【図４】
0005069181.tif 000005
【図５】
0005069181.tif 000006
【図６】
0005069181.tif 000007
【図７】
0005069181.tif 000008
【図８】
0005069181.tif 000009
【図９】
0005069181.tif 000010
【図１０】
0005069181.tif 000011